(57)【特許請求の範囲】
【請求項１】
基礎内に埋め込まれる埋込部と、該埋込部の上側に形成されて柱材に固定される固定部とを有するホールダウンアンカーであって、
前記埋込部には、鉄筋を通す挿通孔部が形成されるとともに、
少なくとも前記埋込部と固定部との間の中間部と、前記埋込部とが、１本のワイヤロープを細長いループ状にして一体に形成され、
前記埋込部には、前記ワイヤロープの相対向部分を部分的に止めるクリップ部材で長さ方向に複数の環状部分が設けられて、これら環状部分に、前記挿通孔部を形成する金具が取り付けられた
ホールダウンアンカー。
【請求項２】
前記固定部に、前記柱材に対して固定するための結合部材を挿通する固定孔が形成された
請求項１に記載のホールダウンアンカー。
【請求項３】
前記固定部も、前記埋込部及び中間部と一体のワイヤロープで形成されるとともに、
前記ワイヤロープの前記固定部における相対向部分を部分的に止めるクリップ部材で長さ方向に複数の環状部分が設けられて、これら環状部分に、前記固定孔を幅方向の一側面に有する金具が取り付けられた
請求項２に記載のホールダウンアンカー。
【請求項４】
前記固定部がねじで形成された
請求項１に記載のホールダウンアンカー。
【発明の詳細な説明】
【技術分野】
【０００１】
この発明は、たとえば木造建築において、基礎と柱材とを直結させる場合に使用されるホールダウンアンカーに関する。なお、この発明において柱材とは、ツーバイフォー工法における縦枠を含む意味である。
【背景技術】
【０００２】
基礎と柱材との直結は、通常より長いアンカーボルトとホールダウン金物を用いて、図８に示したように行われている。
【０００３】
まず、基礎１０１の施工においてアンカーボルト１０２を所定の位置に配置する。所定の位置とは、柱材１０３を建て込む位置の近傍である。基礎１０１の完成後、土台１０４を載置してから、ホールダウン金物１０５が取付けられた柱材１０３を建て込んで、ホールダウン金物１０５をアンカーボルト１０２に結合する。
【０００４】
このようにして基礎１０１と柱材１０３を直結すると、地震が起こっても柱材１０３が浮いてしまうようなことを防止できるので、耐震性の点で、より多くの箇所に採用されるのが好ましい。
【０００５】
しかし、アンカーボルト１０２の設置は、アンカーボルト１０２が土台１０４とホールダウン金物１０５のボルト孔１０４ａ，１０５ａに正確に通るように、正しく施工されなければならない。この正確な施工をするためには、専用の治具が必要となる。
【０００６】
このため、施工は面倒であり、また専用の治具があったとしても細心の注意を払って作業が行なわれない限り、正確な設置はできないため、業者からは敬遠されがちである。この結果、ホールダウン専用のアンカーボルトを使用することが省略されたり、本数を減らされたりすることがある。
【０００７】
アンカーボルトを基礎の所定位置に正確に配置できるようにするものとして、下記特許文献１や特許文献２の技術が提案されている。
【０００８】
特許文献１のフレキシブルアンカーは、ワイヤロープの上端部にボルトが取付けられ、下端に定着板が取付けられて構成されておいる。そして、施工に当たっては、所定位置に配置された後、ワイヤロープの上部に対応する一部分を残してコンクリートの打設が行われる。その後、別体の支圧板を用いてボルトを所定の位置に位置決めするというものである。
【０００９】
この構成によれば、最終的にはフレキシブルアンカーのボルトを所定の位置に固定することができるが、その作業には基礎天端に対して上から固定する別体の支圧板を用いなければならないなど煩雑さが伴う。また、支圧板で固定することになるので、耐引抜力の点において難点がある。
【００１０】
特許文献２の基礎用アンカーは、帯板形状をなし、その上端部に取付け孔を有し、下端部に基礎横筋に対する結合部を有する構成である。すなわち、結合部を現場において屈曲させることで、基礎横筋を避けて所定位置に埋め込むことができるとともに、基礎横筋に絡ませることで基礎に対する一体結合力が増大し、引抜力に対し強大な抵抗力を発揮することができるというものである。
【００１１】
しかし、基礎縦筋の位置が基礎アンカーを取り付けるべき位置と重なる場合には、所定位置に取付けができない。また、コンクリートの打設時に発生し得る微妙な位置ずれや土台等の製作誤差や設置誤差に後で対応することはできない。
【００１２】
【特許文献１】実開平４−１３０３３０号公報
【特許文献２】実公昭５２−４１６８９号公報
【発明の開示】
【発明が解決しようとする課題】
【００１３】
そこで、この発明は、耐震性を向上する施工が簡単に行えるようにすることを主たる課題とする。
【課題を解決するための手段】
【００１４】
そのための手段は、基礎内に埋め込まれる埋込部と、該埋込部の上側に形成されて柱材に固定される固定部とを有するホールダウンアンカーであって、前記埋込部には、鉄筋を通す挿通孔部が形成されるとともに、少なくとも前記埋込部と固定部との間の中間部と、前記埋込部とが、１本のワイヤロープを細長いループ状にして一体に形成され、前記埋込部には、前記ワイヤロープの相対向部分を部分的に止めるクリップ部材で長さ方向に複数の環状部分が設けられて、これら環状部分に、前記挿通孔部を形成する金具が取り付けられたホールダウンアンカーである。
【００１５】
すなわち、基礎の施工に際して埋込部の挿通孔部に鉄筋を挿通して配筋を行い、ホールダウンアンカーの位置を所定位置に固定した後、コンクリートの打設を行って基礎を完成させる。ホールダウンアンカーは鉄筋と一体化され、結合力が高い。そして、その後の床組や軸組の施工は、通常行われる通りに行えばよい。つまり、基礎内に埋め込まれた埋込部の上側に位置する中間部がワイヤロープで形成されているので、土台や柱材を固定する時に中間部は適宜変形する。このため、埋込部が埋め込まれた位置とその他の部材の位置ずれを吸収することができる。
【００１６】
また、上記埋込部もワイヤロープで形成されて変形可能であるので、基礎内の配筋位置の誤差を吸収でき、簡易な施工が可能である。そのうえ、中間部と一体に形成されているので、耐引張り力を高めることができるとともに、ワイヤロープを適宜撚ったり結合したりすればよく、製造も容易である。
【００１７】
態様の他の一つは、上記固定部に、柱材に対して固定するためのボルトやドリフトピン等の結合部材を挿通する固定孔が形成されたものである。固定部もワイヤロープで形成されるとよい。  
すなわち、固定部は固定孔に対して結合部材を挿通することで柱材に対して固定するので、固定部は柱材に沿った状態、または柱材の内部に挿入された状態で取付けることができる。このため、地震の発生によりホールダウンアンカーにテンションがかかっても、柱材には真っ直ぐの力がかかることになり、純粋に引き寄せ力が作用する。柱材が傾くような力はかからず、良好な効果を期待できる。また、ホールダウン金物を不要にすることができる。
【００１８】
さらに、固定部もワイヤロープで形成すれば、中間部との一体性を高め、耐引引抜力の高い状態が得られる。しかも、ワイヤロープの撚りや結合によって容易に製造できる。
【００１９】
態様の他の一つは、上記固定部がナット状の雌ねじやボルト状の雄ねじなどのねじで形成されたものである。  
すなわち、固定部を柱材に固定するのに際して、既存のホールダウン金物を使用することができる。
【発明の効果】
【００２０】
以上のように、この発明によれば、中間部が変形可能であるので、基礎の施工に際してホールダウンアンカーは正確な位置に配置されなければならないわけではなく、厳格な作業が行われなくともそれによる影響をなくして、後の作業を円滑に行わせることができる。このため、作業は簡単である。また、別途に部材を必要とすることもない点からも作業は容易であるといえる。
【００２１】
しかも、基礎に埋め込まれる埋込部には、鉄筋と一体化する挿通孔部を有しているので、単に基礎と柱材を直結しただけではなく、基礎を構成する重要な要素である鉄筋と一体化しているので、強度をより一層高めることができる。
【発明を実施するための最良の形態】
【００２２】
この発明を実施するための一形態を、以下図面を用いて説明する。  
図１は、基礎１１とその上に配される柱脚部１２を示す斜視図である。この図に示すように、柱材１３は、ホールダウンアンカー１４によって基礎１１側に引き寄せられるように建て込まれている。
【００２３】
図２がホールダウンアンカー１４の構造を示す構造説明図で、図３が図１の基礎１１と柱脚部１２の構造を示す断面図である。図２中、（ａ）は正面図、（ｂ）はＡ−Ａ断面図である。
【００２４】
ホールダウンアンカー１４は、基礎１１内に埋め込まれる埋込部２１と、柱材１３に固定される固定部２２と、これらの間に位置する中間部２３とを有し、これら各部２１，２２，２３が１本のワイヤロープ２４によって形成されている。つまり、ワイヤロープ２４で細長いループ状にするとともに、その長さ方向における中間位置に、ワイヤクリップなど適宜の部材からなるクリップ部材２５を止めて複数の環状部分２６…をつくることによって形成される。ワイヤロープ２４は、所定の強度を有するように、適宜の太さ、たとえば５〜１０mm程度、好ましくは８mm程度に形成される。また、環状部分２６…は撚って形成されるものであるもよい。
【００２５】
上記埋込部２１には、基礎１１内に配設される横筋１５を通す３個の挿通孔部２７が形成され、固定部２２には、柱材１３に対して固定するためのボルト１６を挿通する３個の固定孔２８が形成されている。挿通孔部２７も固定孔２８も、上記環状部分２６の内側に金具３１，３２を取付けて構成される。
【００２６】
挿通孔部２７を形成する金具３１は、外周部に断面半円形状の嵌合溝３１ａが形成され、その幅方向における中間位置の内側に板状部３１ｂが設けられた構造で、該板状部３１ｂの中心部に、横筋１５を挿通可能にする大きさの上記挿通孔部２７が形成されている。
【００２７】
上記固定孔２８を形成する金具３２は、外周部に断面半円形状の嵌合溝３２ａが形成され、その幅方向における一側面に板状部３２ｂが設けられた構造で、該板状部３２ｂの中心にボルト１６を挿通可能にする大きさの上記固定孔２８が形成されている。
【００２８】
このように構成されたホールダウンアンカー１４は、埋込部２１、固定部２２、中間部２３が可撓性を有し、変形可能な状態である。
【００２９】
ホールダウンアンカー１４の使用は次のように行われる。  
まず基礎１１の施工に当たって、配筋を行う際に、ホールダウンアンカー１４の埋込部２１の各挿通孔部２７に横筋１５を挿通して、ホールダウンアンカー１４を配置すべき位置の横筋１５に取付ける。このとき、埋込部２１はワイヤロープで形成されているので変形可能であり、上下に配設された横筋１５の位置ずれ等に対応できる。続いて、図示はしないが、型枠を組むとともにホールダウンアンカー１４の位置決めをする。位置決めは、アンカーボルトを固定する一般的な方法で行われる。この状態でコンクリートの打設が行われ、基礎１１が形成される。
【００３０】
基礎１１が形成されると、図４に示したような状態となり、基礎天端１１ａから上に向けてホールダウンアンカー１４の中間部２３と固定部２２が突出した状態となる。
【００３１】
続いて、図３に示したように、土台１７に形成された貫通孔１７ａにホールダウンアンカー１４の固定部２２と中間部２３を挿通して土台１７を載置してから柱材１３を建て込む。建て込んだ柱材１３に対して、ホールダウンアンカー１４の固定部２２をボルト１６で固定する。このとき、固定部２２に設けた金具３２の板状部３２ｂが柱材１３側に位置するようにしておき、座金１８を介して固定する。座金１８の厚みは、クリップ部材２５の突出長さと同一かそれより厚く設定し、固定部２２が柱材１３の側面に沿うように固定できるようにしている。なお、上記ボルト１６を挿通する挿通孔１３ａは現場でも加工され得る。
【００３２】
このような固定を行うとき、中間部２３も固定部２２も、前後左右に変形可能であるので、ホールダウンアンカー１４の位置、土台１７の貫通孔１７ａの位置、柱材１３の位置にずれがあっても、そのずれを吸収して取り付けが行える。
【００３３】
上述のように、中間部２３が変形可能であるので、基礎１１の施工に際してホールダウンアンカー１４を正確な位置に配置しなければならないわけではなく、厳格な作業が行われなくともそれによる影響をなくして、後の作業を円滑に行わせることができる。たとえばホールダウンアンカー１４を取付けるべき位置に縦筋（図示せず）が存在した場合には、そのわきに取付けておいても、後の作業が円滑に行える。このため、作業は簡単である。
【００３４】
しかも、基礎１１に埋め込まれる埋込部２１には、横筋１５と一体化する挿通孔部２７を有しているので、単に基礎１１と柱材１３を直結しただけではなく、基礎１１を構成する重要な要素である横筋１５と一体化しているので、強度をより一層高めることができる。
【００３５】
また、埋込部２１もワイヤロープ２４で形成されており、可撓性を有し変形可能であるので、基礎１１内の配筋位置の誤差を吸収できる。このため、簡易な施工が可能となる。
【００３６】
さらに、埋込部２１と中間部２３に加えて固定部２２もワイヤロープで一体に形成されているので、一体性を高め、耐引張り力のあるホールダウンアンカー１４を得ることができるとともに、１本のワイヤロープ２４をクリップ部材２５で止めて製造するので、生産も容易である。
【００３７】
しかも、固定部２２は柱材１３に沿った状態で取付けられるので、地震の発生によりホールダウンアンカー１４にテンションがかかっても、柱材１３には真っ直ぐの力がかかることになり、純粋に引き寄せ力が作用し、良好な効果を期待できる。また、ホールダウン金物は不要である。
【００３８】
以下、その他の形態について説明する。説明に当たって、上記構成と同一または同等の部位については、同一の符号を付してその詳しい説明を省略する。
【００３９】
図５は、ホールダウンアンカー１４を柱材１３の下端部に対してその中心に挿入した例である。この場合、固定部２２の挿通孔部２７を形成する金具３２の板状部３２ｂは、幅方向の中心に位置させている。図中１３ｂは、柱材１３の下面から形成された挿入孔である。
【００４０】
このように柱脚部１２を構成した場合には、筋かい（図示せず）を設ける場合でも、その存在に配慮する必要なく、容易に固定できる利点がある。
【００４１】
図６は、固定部２２がボルト状の雄ねじ２９で形成されたホールダウンアンカー１４の例である。  
すなわち、埋込部２１と中間部２３は１本のワイヤロープ２４で形成され、上記中間部２３の上側に、ワイヤロープ２４の両端部を束ねるようにボルト状の雄ねじ２９が形成されている。
【００４２】
このように構成されたホールダウンアンカー１４では、図７に示したように、既存のホールダウン金物１９を用いて柱材１３の固定が行われる。雄ねじ２９に代えて、雌ねじで構成することもできる。
【００４３】
この発明の構成と、上記一形態の構成との対応において、  
この発明の鉄筋は、上記一形態における横筋１５に対応し、  
同様に、  
結合部材は、ボルト１６に対応し、  
ねじは、雄ねじ２９に対応するも、  
この発明は、上記一形態の構成のみに限定されるものではなく、その他の形態を採用することができる。  
たとえば、挿通孔部２７と固定孔２８の個数は、適宜設定できる。
【図面の簡単な説明】
【００４４】
【図１】柱脚部の構造を示す斜視図。
【図２】ホールダウンアンカーの構造説明図。
【図３】柱脚部の断面図。
【図４】基礎に取付けられたホールダウンアンカーの斜視図。
【図５】他の例に係るホールダウンアンカーとそれを用いた柱脚部の断面図。
【図６】他の例に係るホールダウンアンカーの正面図。
【図７】図６のホールダウンアンカーを用いた柱脚部の斜視図。
【図８】従来技術の斜視図。
【符号の説明】
【００４５】
１１…基礎
１３…柱材
１４…ホールダウンアンカー
１５…横筋
１６…ボルト
２１…埋込部
２２…固定部
２３…中間部
２４…ワイヤロープ
２５…クリップ部材
２６…環状部分
２７…挿通孔部
２８…固定孔
２９…雄ねじ
３１，３２…金具
【図１】
0004669954.tif 000002
【図２】
0004669954.tif 000003
【図３】
0004669954.tif 000004
【図４】
0004669954.tif 000005
【図５】
0004669954.tif 000006
【図６】
0004669954.tif 000007
【図７】
0004669954.tif 000008
【図８】
0004669954.tif 000009